(57)【要約】【課題】採取された血液から、血球と血漿または血清とを分離し得る血液検査用容器であって、分離後に血球の破壊により漏洩した液体成分の分離後の血漿または血清の混入が生じ難い血液検査用容器を提供する。【解決手段】気密容器からなり、血液から、固形分と、血漿または血清とを分離するフィルタ４の上方が血液収納部１０を構成しており、下方が分離された血漿または血清収納部９を構成している血液検査用容器１であって、フィルタ４の後段に一定量の血漿または血清を保持する血漿もしくは血清保持部８が設けられている、血液検査用容器１。【選択図】      図１
2004325412.tif 000002
【特許請求の範囲】
【請求項１】
開口を有し、かつ採取された血液が収容される血液収容部と、
前記血液から分離された血漿または血清を収納する血漿もしくは血清収納部と、
前記開口を気密封止するように前記開口に取り付けられた栓体と、
前記血液収容部と前記血漿または血清収納部との間に配置されており、血液から固形分と、血漿もしくは血清とを分離するフィルタとを備え、前記フィルタで分離された血漿もしくは血清がフィルタから前記血漿もしくは血清収納部に流下される血液検査用容器において、
前記フィルタの前記血漿もしくは血清収納部側に、一定量の血漿もしくは血清を保持する血漿もしくは血清保持部が設けられており、該血漿もしくは血清保持部から、分離された血漿もしくは血清が前記血漿もしくは血清収納部に流下されることを特徴とする血液検査用容器。
【請求項２】
上端に開口を有する有底の管状容器を有し、該管状容器内の中間高さ位置に前記フィルタ及び血漿または血清保持部が設けられており、該フィルタの上方の空間が前記血液収容部を構成しており、前記血漿または血清保持部の下方の空間が血漿または血清収納部を構成している請求項１に記載の血液検査用容器。
【請求項３】
前記フィルタが、血球よりも血漿または血清を速く移動させるフィルタ部材と、前記フィルタ部材の下方に配置された血球停止膜とからなる請求項１または２に記載の血液検査用容器。
【発明の詳細な説明】
【０００１】
【発明の属する技術分野】
本発明は、採取された血液から、血漿もしくは血清成分を分離し、分離された血漿または血清を容易に取り出すことを可能とする血液検査用容器に関し、より詳細には、血球成分の破壊により生じた血球内の液体による血漿または血清の汚染が生じ難い血液検査用容器に関する。
【０００２】
【従来の技術】
従来、血液から血球成分を除去し、臨床検査に必要な血漿もしくは血清を得るために様々な分離膜を有する血液検査用容器が提案されてきている。
【０００３】
下記の特許文献１には、直径０．０５〜１μｍの細孔を有し、外面開口率が４０％以下、内面開口率が６０％以上の中空繊維を用いて血液から血漿を採取する方法が提案されている。
【０００４】
また、下記の特許文献２には、平均直径が０．２〜５μｍ及び密度が０．１〜０．５ｇ／ｃｍ３の繊維層により血漿または血清を分離する方法が提案されている。
【０００５】
しかしながら、特許文献１に記載の方法では、中空繊維を用いているため、ディスポーザブル製品としてはコストが高くなりすぎ、経済的でないという問題があった。また、特許文献２に記載の方法では、血漿または血清を分離し得るものの、ろ過速度が遅かった。圧力を加えてろ過速度を高めた場合には溶血が起こり、赤血球の破壊により血球内成分が漏洩するという問題があった。
【０００６】
他方、下記の特許文献３には、高分子極細繊維集合体または多孔質ポリマーを用い、血球成分と血漿または血清成分との移動速度差により分離を行う方法が開示されている。ここでは、繊維表面に親水性ポリマーが固定化されており、該親水性ポリマーが血漿または血清分離後に膨潤し、フィルタを閉塞することによりろ過が自動的に停止される。しかしながら、ヘマトクリットや粘度が異なる血液では、ろ過速度が変化するため、常に血漿または血清のろ過が終了した時点でろ過を停止させるように制御することができなかった。
【０００７】
【特許文献１】
特公平２−２３８３１号公報
【特許文献２】
特公平６−６４０５４号公報
【特許文献３】
特開平１１−２８５６０７号公報
【０００８】
【発明が解決しようとする課題】
上記のように、従来の血液から血漿または血清を分離する方法では、分離に際して赤血球などの血球成分の混入を確実に防止し、血漿または血清を簡便かつ確実に分離することができなかった。
【０００９】
本発明の目的は、上述した従来技術の現状に鑑み、赤血球の破壊に起因する血球内成分による血漿または血清の汚染が生じ難く、血液から血漿または血清を確実に分離することができる構造を備えた血液検査用容器を提供することにある。
【００１０】
【課題を解決するための手段】
本発明は、開口を有し、かつ採取された血液が収容される血液収容部と、前記血液から分離された血漿または血清を収納する血漿もしくは血清収納部と、前記開口を気密封止するように前記開口に取り付けられた栓体と、前記血液収容部と前記血漿または血清収納部との間に配置されており、血液から固形分と、血漿もしくは血清とを分離するフィルタとを備え、前記フィルタで分離された血漿もしくは血清がフィルタから前記血漿もしくは血清収納部に流下される血液検査用容器において、前記フィルタの前記血漿もしくは血清収納部側に、一定量の血漿もしくは血清を保持する血漿もしくは血清保持部が設けられており、該血漿もしくは血清保持部から、分離された血漿もしくは血清が前記血漿もしくは血清収納部に流下されることを特徴とする。
【００１１】
本発明に係る血液検査用容器のある特定の局面では、上端に開口を有する有底の管状容器を有し、該管状容器内の中間高さ位置に前記フィルタ及び血漿または血清保持部が設けられており、該フィルタの上方の空間が前記血液収容部を構成しており、前記血漿または血清保持部の下方の空間が血漿または血清収納部を構成している。
【００１２】
本発明に係る血液検査用容器のさらに他の特定の局面では、前記フィルタが、血球よりも血漿または血清を速く移動させるフィルタ部材と、前記フィルタ部材の下方に配置された血球停止膜とからなる。
【００１３】
本発明に係る血液検査用容器のさらに別の特定の局面では、上記血球停止膜が、孔径が０．０５〜２．０μｍの複数の孔を有し、かつ空隙率が３０％以下とされている。
【００１４】
本願発明者らは、血液から血漿または血清成分と、血球成分とを分離するために、血球成分と血漿または血清成分との移動差を利用したフィルタ部材と、血球の混入を防止する血球停止膜とを用いれば、血液から血漿もしくは血清成分を簡便にかつ確実に取り出し得ることを見出した。従って、このようなフィルタ部材と、血球停止膜とを有する血液検査用容器を構成すれば、採取された血液から、血漿または血清成分と血球成分とを容易にかつ確実に分離することができる。
【００１５】
もっとも、上記分離が終了する時点は、赤血球が血球停止膜を閉塞した時点であり、この時、血液検査用容器内に減圧が残っている場合には、長時間保存すると、徐々に赤血球が破壊され、赤血球内の成分が液体成分として分離された血漿または血清成分に混入することがあった。
【００１６】
しかしながら、本発明では、上述した血漿もしくは血清保持部がフィルタの血漿もしくは血清収納部側に設けられているため、赤血球内の液体成分による血漿もしくは血清の汚染が効果的に抑制される。すなわち、血漿もしくは血清保持部には、一定量の血漿もしくは血清が保持される。他方、破壊された赤血球から赤血球内の液体成分がフィルタを通過して滲み出すには一定の時間を必要とする。従って、分離された血漿または血清成分が採取されるまでの間に赤血球の破壊による赤血球内の液体成分が、該血漿もしくは血清保持部に留まり、分離された血漿もしくは血清への分離が起こらず、従って、赤血球内の液体成分による汚染のない血漿または血清を確実に取り出すことができる。
【００１７】
【発明の実施の形態】
本発明では、血液から血漿または血清を分離するためにフィルタが用いられる。このフィルタについては、血液から血球と、血漿または血清とを分離することができる様々なフィルタ材料を用いることができ、特に限定されるものではない。もっとも、好ましくは、血球よりも血漿または血清を速く移動させるフィルタ部材と、フィルタ部材の下方に配置された血球停止膜とからなるフィルタが用いられる。
【００１８】
上記血球停止膜は、上記フィルタ部材を通過した血液中の血球成分を捕捉し、分離後の血漿または血清に血球成分が混入することを防止する作用を有する。
上記血球よりも血漿を速く移動させる性質のフィルタ部材については、特に限定されないが、例えば細い繊維径を有する合成高分子もしくはガラスからなる繊維または多孔性高分子などを用いることができる。もっとも、血液中の測定成分を吸着する場合には、吸着を抑制するためにフィルタ部材を構成する材料を表面処理しておくことが望ましい。表面処理剤としては、特に限定されないが、ポリエーテル系もしくはシリコーン系などの潤滑剤、ポリビニルアルコールやポリビニルピロリドンなどの親水性高分子類もしくは天然の親水性高分子類、または高分子界面活性剤などを用いることができる。
【００１９】
上記フィルタ部材が合成高分子またはガラスからなる繊維の場合、平均繊維径は０．２〜５．０μｍの範囲が好ましい。０．２μｍ未満では溶血が生じやすくなり、５．０μｍを超えると、血球と血漿もしくは血清とを分離するために繊維を高密度に充填する必要があり、またフィルタ部材の量が多くなるため、コストが高くなることがある。より好ましくは、繊維径は０．５〜３．０μｍの範囲とされる。
【００２０】
血球停止膜は、孔径が０．０５〜２．０μｍの複数の孔、好ましくは多数の孔を有し、かつ空隙率が３０％以下、好ましくは２５％以下であることを特徴とする。孔径が０．０５μｍ未満では、血漿もしくは血清中のタンパク質や脂質が目詰まりを起こしやすくなり、２．０μｍより大きい場合には、赤血球が変形し、容易に膜を通過するおそれがある。また、空隙率が３０％を超えると、赤血球に負荷がかかりやすくなり、溶血を引き起こしやすくなる。
【００２１】
上記血球停止膜における孔の形状については特に限定されないが、孔の内周面が滑らかな形状であるものが望ましい。例えば、孔が膜の一方の面から他方の面に直線状に貫通している形状のものが、赤血球へのダメージが少なく、特に溶血も引き起こし難いため、望ましい。
【００２２】
貫通孔の開口部平面形状及び貫通孔の横断面形状は特に限定されないが、鋭い角を有する形状は好ましくない。従って、貫通孔の開口部平面形状及び横断面形状は円または楕円などの曲線状の形状が好ましい。
【００２３】
また、貫通孔の延びる方向に沿う縦断面形状についても特に限定されず、該縦断面において内壁は直線状または曲線状であってもよい。さらに、貫通孔の延びる方向は膜表面に直交する方向であってもよく、あるいは該直交方向から傾いた方向であってもよい。また、貫通孔の縦断面は切断円錐台状であってもよい。
【００２４】
血球停止膜の材質は特に限定されず、合成高分子及び天然高分子のいずれをも用いることができる。血球停止膜を構成する材料としては、例えば、セルロース混合エステル、ポリビニリデンジフルオライド、ポリテトラフルオロエチレン、ポリカーボネート、ポリプロピレン、ポリエステル、ナイロン、ガラス、アルミナなどを挙げることができる。
【００２５】
本発明において分離作業の対象となる血液は全血でもよく、希釈された血液試料であってもよい。また、血液は人の血液に限定されず、動物の血液であってもよい。さらに、血液は、新鮮血であってもよく、ヘパリン、エチレンジアミン四酢酸塩またはクエン酸などの抗凝固剤が添加された血液であってもよい。
【００２６】
上記血球停止膜を用いて、血液から、血球成分と、血漿もしくは血清とを分離するに際しては、膜の一方面に血液が供給され、ろ過により上記分離が果たされる。
【００２７】
上記分離作業に際しては、赤血球が目詰まりすることにより、ろ過が終了する。この場合、過大な圧力を加えると、溶血を引き起こすおそれがある。しかしながら、通常の孔を有する分離膜では、僅かな圧力を加えた場合でも溶血が生じるのに対し、本発明に係る血球停止膜を用いた場合には、より大きな圧力を加えた場合であっても溶血が生じ難い。すなわち、６０ｋＰａ以下の圧力を加えてろ過したとしても、溶血が生じ難い。これは、空隙率を３０％以下にすることで血球停止膜の表面形状が滑らかとなり血球へのダメージを少なくできるからである。
【００２８】
６０ｋＰａよりも大きな圧力を加えた場合には、赤血球が徐々に破壊されることがある。従って、好ましくは、６０ｋＰａ以下の圧力を加えることが望ましく、それによって得られた血漿もしくは血清を用いて正確な検査値を得ることができる。
【００２９】
上記フィルタでは、上記血球停止膜の前段に、血球よりも血漿を速く移動させるフィルタ部材が直列に接続されている。血液が供給されると、まず血液が該フィルタ部材を通過するが、その際に血漿が速やかに血球停止膜側に向かって移動し、血球停止膜において血漿が速やかに血球停止膜を通過する。従って、血球と血漿とを効率良く分離することができる。このフィルタにおいては、血漿がろ過された後、赤血球が血球停止膜の孔を閉鎖した時点でろ過が終了される。
【００３０】
本発明に係る血液検査用容器は、上記フィルタを内部に収納した構造を有し、上述したフィルタ部材及び血球停止膜からなるフィルタが内部に収納された検査用容器が好ましい。次に、この血液検査用容器の構造について説明する。
【００３１】
本発明における血液検査用容器の物理的な構造については、開口を有し、かつ採取された血液が収容される血液収容部と、分離された血漿または血清を収納する血漿もしくは血清収納部と、上記開口を気密封止するように開口に取り付けられた栓体と、血液収容部と血漿または血清収納部との間に配置された上記フィルタとを備える限り特に限定されるものではない。好ましくは、血液検査用容器は、気密容器で構成され、内部が予め減圧されている。従って、内部の減圧を利用して、例えば栓体に真空採血針を刺通させることにより、血液を血液収容部に容易に採取することができる。
【００３２】
上記血液検査用容器の一実施態様としては、上端に開口を有する有底の管状容器を用いた構造が挙げられる。すなわち、上端に開口を有する有底の管状容器の該開口に栓体が取り付けられている。そして、管状容器内の中間高さ位置に上記フィルタ及び血漿または血清保持部が設けられており、フィルタの上方の空間が血液収容部を、血漿または血清保持部の下方の空間が血漿または血清収納部を構成している。
【００３３】
なお、本発明において、分離される最初の血液は全血である必要は必ずしもなく、等張の水溶液で希釈された血液であってもよい。また、血液は人の血液に限らず、動物の血液であってもよい。また、新鮮血であってもよく、ヘパリン、エチレンジアミン四酢酸塩またはクエン酸などの抗凝固剤を添加した血液であってもよい。
【００３４】
図１は、本発明の一実施形態に係る血液検査用容器を示す縦断面図である。血液検査用容器１は、外管２と、筒状部材３と、栓体４とを有する気密容器で構成されている。外管２内に、筒状部材３が挿入されている。外管２は、有底の管状容器で構成されており、外管２は上端に開口２ａを有する。
【００３５】
他方、筒状部材３は、上端に開口３ａを有する。また、筒状部材３の下方部分には、フィルタ５が収納されている。フィルタ５は、フィルタ部材６と、フィルタ部材６の下方に配置された血球停止膜７とを有する。フィルタ部材６は、上述したように、血球よりも血漿または血清を速く移動させるフィルタ材料により構成されている。
【００３６】
血球停止膜７は、上述したように、血球を捕捉し、分離された血漿または血清への血球の混入を防止するために設けられている。本実施形態では、フィルタ部材６の下方に直列に血球停止膜７が配置されている。
【００３７】
外管２及び筒状部材３は、合成樹脂の適宜の材料で構成され得る。また、栓体４は、ゴムまたはエラストマーなどの適宜の弾性材料で構成され得る。
また、筒状部材３の下端には、突出部３ｂが形成されている。突出部３ｂには血漿または血清保持部８が設けられている。血漿または血清保持部８は、一定量の血漿または血清を収納する空間である。本実施形態では、血漿または血清保持部８は、筒状部材３の下端において、上記血球停止膜７の下に一定の体積の空間を有するように構成されている。すなわち、血漿または血清保持部８は、突出部３ｂの上部から突出部３ｂ内を下方に延びるように設けられている。すなわち、血漿または血清保持部８は、筒状部材３と突出部３ｂとの間の空間部分と、該空間部分に連ねられており、突出部３ｂの下端に延びる空間部分とを有する。ろ過された血漿または血清は、血漿または血清保持部８から下方の血漿または血清収納部９に流下される。
【００３８】
本実施形態では、上記血漿または血清保持部８を構成するために、筒状部材３は、血漿または血清保持部８の上面において分割され得るように構成されている。すなわち、筒状部材本体３Ａと、突出部３ｂとが、図１の矢印Ａで示す部分で分割されており、両者はねじ止めまたは嵌合等により着脱自在に固定されるように構成されている。そして、突出部３ｂを筒状部材本体３Ａから取り外すことにより、血漿または血清保持部８が露出されるように構成されている。従って、血漿または血清保持部８に、適宜の充填剤を充填し、しかる後突出部３ｂを筒状部材本体３Ａに取り付けることにより、充填剤の量に応じて血漿または血清保持部８の体積が調整され得るように構成されている。
【００３９】
なお、フィルタ５の上方の空間が本発明における血液収容部１０を構成している。
また、栓体４は、把持部４ａと、大径部４ｂと、小径部４ｃとを有する。大径部４ｂは、小径部４ｃよりも大きな径を有する。
【００４０】
小径部４ｃが筒状部材３の開口３ａに圧入されており、大径部３ｂが外管２の開口２ａに圧入されている。それによって、栓体４により外管２及び筒状部材３の開口２ａ，３ａが気密封止されている。また、血液検査用容器１では、内部が減圧されている。
【００４１】
血液検査用容器１の使用に際しては、栓体４に真空採血針を刺通することにより、血液を血液収容部１０に採取することができる。採取された血液は、フィルタ５によってろ過される。上述したように、フィルタ部材６では、血漿または血清が血球成分よりも速やかに移動するため、血漿または血清が血球よりも速やかに下方に移動する。そして、血漿または血清は、血球停止膜７を通過し、血漿または血清保持部８に至る。しかる後、血漿または血清収納部９に流下される。
【００４２】
他方、ろ過の停止は、血球が、血球停止膜７で捕捉され、血球停止膜７が閉塞することにより行われる。
そして、ろ過が終了した時点では、血漿または血清保持部８にも、分離された血漿または血清の一部が貯留されている。この状態において、ある程度の時間保存したとしても、また保存に際し、血球停止膜７に捕捉された赤血球が破壊し、中の液体成分が下方に漏洩したとしても、漏洩した液体成分は血漿または血清保持部８において一旦留まる。そのため、ある程度の時間経過した場合であっても、赤血球の破壊により漏洩した赤血球内の液体成分は、血漿または血清保持部８に留まるため、血漿または血清収納部９に貯留されている、分離後の血漿または血清への上記液体成分の混入を確実に防止することができる。
【００４３】
上記血漿または血清保持部８の空間の大きさは、上記のような作用を考慮すると、ある程度大きいことが好ましい。もっとも、血漿または血清保持部８の体積が大きすぎると、血漿または血清収納部９に貯留される分離済みの血漿または血清の量が少なくなるおそれがある。また、血漿または血清保持部８の体積は、５〜１００μＬ程度とすることが望ましい。
【００４４】
本発明における血液検査用容器１は、実施形態のものに限定されず、筒状部材３と外管２とを有する二重管構造を有するものに限定されない。
すなわち、単一の管状容器内にフィルタ４を配置し、該フィルタ４の下方に血漿または血清保持部８のような一定量の血漿または血清を保持する空間を設けた構造を有する限り、血液検査用容器は様々な構造により実現され得る。
【００４５】
次に、具体的な実施例及び比較例を説明する。
合成樹脂からなる外管２及び筒状部材３を有する血液検査用容器１を用いた。ここでは、シリコーン製のシーリング剤を充填剤として血漿または血清保持部８に適宜の量を充填することにより、血漿または血清保持部８の体積を調整した。なお、充填剤を入れない場合の血漿または血清保持部８の体積は１００μＬである。
【００４６】
フィルタ部材６としては、平均繊維径１．８μｍのポリエステル繊維０．５ｇを２ｃｍ３の体積となるように圧縮充填したものを用いた。また、血球停止膜７としては、ミリポア社製、商品名：アイソポアＨＴＴＰ（孔径０．４μｍ）を９．５ｍｍ径に切り取ったものを用いた。
【００４７】
（実施例１）
上記充填剤を９５μＬ充填し、血漿または血清保持部８の空間の体積を５μＬとした後、上記フィルタ部材６及び血球停止膜７をセットし、血液検査用容器１を構成した。なお、内部の圧力は２６ｋＰａとなるように減圧し、栓体４で閉栓した。
【００４８】
（実施例２）
血漿または血清保持部８の空間の体積を２０μＬと設定したことを除いては、実施例１と同様にして血液検査用容器を構成した。
【００４９】
（実施例３）
血漿または血清保持部８の空間の体積を５０μＬと設定したことを除いては、実施例１と同様にして血液検査用容器を構成した。
【００５０】
（実施例４）
充填剤を用いずに、すなわち血漿または血清保持部８の空間の体積を１００μＬとしたことを除いては、実施例１と同様にして血液検査用容器を構成した。
【００５１】
（実施例５）
血漿または血清保持部８の当初の空間の体積が２μＬとなるように構成されていること、並びに充填剤を用いなかったことを除いては、実施例１と同様にして血液検査用容器を作製した。
【００５２】
（実施例６）
充填剤を用いずに、かつ血漿または血清保持部の周囲を削ることにより、血漿または血清保持部の体積を１５０μＬとしたことを除いては、実施例１と同様にして血液検査用容器を構成した。
【００５３】
（比較例）
上記血漿または血清保持部８を設けなかったことを除いては、実施例１と同様にして血液検査用容器を構成した。
【００５４】
上記実施例１〜６及び比較例の各血液検査用容器を用い、健常人のボランティアからシリンジにより採血した血液２ｍＬを栓体４から注入した。血液注入後、真空採血針を栓体４に刺通し、栓体４の内部と外部とを連通させ、血液検査用容器１の内部と外部との圧力差により血液の分離を開始した。まず、血漿または血清収納部にフィルタ４を通過した血清が徐々に流下され、しかる後血球が血球停止膜に到達した時点でろ過速度が大きく低下した。この時点を血液分離の終了時とした。血液分離終了時からしばらく放置した場合、実施例１〜６では赤血球が徐々に破壊され、血漿または血清保持部８内の液体が徐々に赤みを帯びてきた。すなわち、溶血した血清が血漿または血清保持部８に混入してきた。この溶血した血漿または血清が、下方の血漿または血清収納部９に混入するまでの時間を測定した。また、この時間に達した点における血清量を測定した。すなわち、血漿または血清収納部９に貯留されている分離後の血清量を測定した。また、比較例では、血液分離の終了時から、血漿または血清収納部に貯留されている血清が赤みを帯びてきたまでの時間を求め、かつ血漿または血清収納部に貯留されている分離後の血清量を測定した。結果を下記の表１に示す。
【００５５】
【表１】
2004325412.tif 000003
【００５６】
表１から明らかなように、実施例１〜６では、分離後溶血した血清の血漿または血清収納部９に混入するまでの時間が１分以上であったのに対し、比較例では、分離終了後１分経過する前に溶血した血清の混入が見られた。
【００５７】
また、血漿または血清保持部８の体積が５〜１００μＬである実施例１〜４では、溶血した血清の混入までの時間を２分以上とすることができ、かつ汚染されていない血清回収量も１６０μＬ以上と多かった。
【００５８】
【発明の効果】
本発明に係る血液検査用容器では、フィルタの血漿もしくは血清収納部側に、一定量の血漿もしくは血清を保持する血漿もしくは血清保持部が設けられているため、フィルタにおける分離が終了した後に赤血球の破壊により血球内の液体が漏洩したとしても、漏洩した液体が一定時間血漿もしくは血清保持部に貯留される。従って、分離された血漿もしくは血清への上記液体成分の混入を一定の時間防止することができる。従って、分離終了後に容器内の残圧を開放することなく、溶血による液体成分の汚染が生じ難い血漿もしくは血清を確実にかつ簡便に取り出すことができる。
【００５９】
上端に開口を有する有底の管状容器を有し、該管状容器内の中間高さ位置にフィルタ及び血漿または血清保持部が設けられており、フィルタの上方の空間が血液収容部を構成しており、血漿または血清保持部の下方の空間が血漿または血清収納部を構成している場合には、通常の管状容器を用いた血液検査用容器において、本発明に従って、血球の破壊による液体成分の漏洩に起因する汚染が生じ難い、血液検査用容器を提供することができる。
【００６０】
フィルタが、血球よりも血漿または血清を速く移動させるフィルタ部材と、該フィルタ部材の下方に配置された血球停止膜とを有する場合には、該フィルタ部材において血漿または血清が血球よりも速やかに下方に移動し、かつ血球停止膜において血球が捕捉され、血球停止膜が閉塞した時点で、確実に分離操作を終了させることができる。すなわち、管内の減圧を利用して、血液の分離を自動的に停止することができる。
【図面の簡単な説明】
【図１】本発明の一実施形態に係る血液検査用容器の縦断面図。
【符号の説明】
１…血液検査用容器
２…外管
２ａ…開口
３…筒状部材
３ａ…開口
３ｂ…突出部
４…栓体
４ａ…把持部
４ｂ…大径部
４ｃ…小径部
５…フィルタ
６…フィルタ部材
７…血球停止膜
８…血漿または血清保持部
９…血漿または血清収納部
１０…血液収容部
【図１】
2004325412.tif 000004